(57)【要約】      （修正有）【課題】シンプルなボタン配置で誤って他のボタンを押すことが減少し、ユーザーフレンドリーな最適化デザインを有するシンプル汎用リモコンを提供する。【解決手段】シンプル汎用リモコンは、上ケースと下ケースを有するリモコン１０と、再生/一時停止ボタン１１１と、消音ボタン１１３と、音量調整ボタン１１４と、チャンネルボタン１１５と、コントロールモジュール１２０と、無線送信モジュール１３０とを備え、リモコンの左下部分及び右下部分に左ハンドル部及び右ハンドル部がそれぞれに突出され、コントロールモジュールが操作部の操作信号を受信してコントロール信号を送信し、無線送信モジュールが、セットトップボックスの再生/一時停止の切換え、消音の切換え、音量調整及びチャンネルの切換えのコントロール信号を送信する。【選択図】図２
0003223606.tif 000002
【実用新案登録請求の範囲】
【請求項１】
リモコンと、再生/一時停止ボタンと、消音ボタンと、二つの音量調整ボタンと、二つのチャンネルボタンと、コントロールモジュールと、無線送信モジュールとを備えるシンプル汎用リモコンであり、
当該リモコンが上ケース及び下ケースで構成され、当該上ケース及び当該下ケースが対称的な構造であり、当該上ケースは左下に突出する少なくとも一つの左ハンドル部と、右下に突出する少なくとも一つの右ハンドル部とを備え、当該下ケースは左下に突出する少なくとも一つの左ハンドル部と、右下に突出する少なくとも一つの右ハンドル部とを備え、
当該再生/一時停止ボタンが、当該上ケース、当該下ケース、のうちのいずれか一つの中央部分の上側の一側に設けられ、
当該消音ボタンが当該上ケース、当該下ケース、のうちのいずれか一つの中央部分の上側の他の一側に設けられ、
二つの当該音量調整ボタンが当該上ケース、当該下ケース、のうちのいずれか一つの中央部分の一側及び他の一側に別々に設けられ、
二つの当該チャンネルボタンが、当該上ケース、当該下ケース、のうちのいずれか一つにある左ハンドル部の一端、中心部分、のうちのいずれか一つ、及び当該上ケース、当該下ケース、のうちのいずれか一つにある右ハンドル部の一端、中心部分、のうちのいずれか一つに別々に設けられ、
当該コントロールモジュールが、当該上ケース及び当該下ケースで形成される収容空間内に設けられ、且つ当該再生/一時停止ボタン、当該消音ボタン、二つの当該音量調整ボタン及び二つの当該チャンネルボタンと別々に電気的に連接され、当該再生/一時停止ボタン、当該消音ボタン、二つの当該音量調整ボタン及び二つの当該チャンネルボタンからの操作信号を受信して別々に対応するコントロール信号を送信する機能を備え、
当該無線送信モジュールが、当該コントロールモジュールと電気的に連接され、セットトップボックスの再生/一時停止の切換え、消音の切換え、音量調整、チャンネルの切換え、のうちのいずれか一つの当該コントロールモジュールによって送信されるコントロール信号を送信するために使われ、そして、
当該再生/一時停止ボタン、当該消音ボタン、二つの当該音量調整ボタン及び二つの当該チャンネルボタンのシルエットが、円形、三角形、四角形、矩形、菱形、のうちのいずれか一つの形であることを特徴とするシンプル汎用リモコン。
【請求項２】
前記再生/一時停止ボタン、前記消音ボタン、二つの前記音量調整ボタン及び二つの前記チャンネルボタンが前記上ケースの表面に設けられることを特徴とする請求項1に記載のシンプル汎用リモコン。
【請求項３】
前記再生/一時停止ボタン、前記消音ボタン、二つの前記音量調整ボタン及び二つの前記チャンネルボタン、のうちの任意の二つが等間隔で設けられることを特徴とする請求項2に記載のシンプル汎用リモコン。
【請求項４】
前記再生/一時停止ボタン、前記消音ボタン、二つの前記音量調整ボタン、二つの前記チャンネルボタン、のうちのいずれか少なくとも一つが前記下ケースの表面に設けられることができることを特徴とする請求項1に記載のシンプル汎用リモコン。
【請求項５】
前記再生/一時停止ボタン、前記消音ボタン、二つの前記音量調整ボタン及び二つの前記チャンネルボタン、のうちの任意の二つの外見の色が、同じの色、異なる色、同じの色名、異なる色名、のうちのいずれか一つであることを特徴とする請求項1に記載のシンプル汎用リモコン。
【請求項６】
前記再生/一時停止ボタン、前記消音ボタン、二つの前記音量調整ボタン及び二つの前記チャンネルボタン、のうちの任意の二つの大きさが、同じの大きさ、異なる大きさ、のうちのいずれか一つであることを特徴とする請求項1に記載のシンプル汎用リモコン。
【請求項７】
前記上ケース、前記下ケース、のうちのいずれか一つにセットトップボックス電源ボタンが設けられることを特徴とする請求項1に記載のシンプル汎用リモコン。
【請求項８】
前記セットトップボックス電源ボタンのシルエットが、円形、四角形、矩形、菱形、三角形、のうちのいずれか一つの形であることを特徴とする請求項7に記載のシンプル汎用リモコン。
【請求項９】
前記上ケース、前記下ケース、のうちのいずれか一つに指示ランプが設けられ、当該指示ランプはコントロール信号によって少なくとも一つの色を表示する機能を備えることを特徴とする請求項1に記載のシンプル汎用リモコン。
【請求項１０】
前記上ケース、前記下ケース、のうちのいずれか一つに設定ボタンが設けられることを特徴とする請求項1に記載のシンプル汎用リモコン。
【考案の詳細な説明】
【技術分野】
【０００１】
本考案は、リモコンに関し、特にシンプルなデザイン及びボタン配置で容易に操作できるシンプル汎用リモコンに関する。
【背景技術】
【０００２】
テレビコミュニケーションは現在のコミュニケーションツールの一つであり、故にテレビの普及率がかなり高い、視聴率及び広告収益を高めるために、普通のセットトップボックス、MODセットトップボックス、スマートセットトップボックスなど、様々なセットトップボックスがあり、普通のセットトップボックスである程度の数量の地上波テレビチャンネルを視聴でき、MODセットトップボックスは中華電信というメーカーの製品であり、且つ独自のチャンネル、ゲーム、映画など多元的な機能を備え、スマートセットトップボックスは数百のチャンネルのケーブルテレビを視聴でき、且つメディアプレーヤー、カラオケ機器など様々な機能を備える。
【考案の概要】
【考案が解決しようとする課題】
【０００３】
しかし、テレビに備える機能が増加するほどに、ボタンの数も増加し、例えばテレビ電源、セットトップボックス切換え、信号切換え、各モード切換え、番組データの表示、戻る機能、リスト機能、チャンネルボタン、数字ボタン、音量ボタン、音声切換え、言語選択、消音機能、メディア機能ボタンなどがあり、操作の利便性のために、追加機能の操作が一つボタンは一つの機能があるという形で実現され、従って、テレビリモコンのボタンの数が40個から60個くらいに増え、リモコンの大きさも段々大きくなり、製造作業もますます複雑になり、コストも高くなり、使用者にとって不便になる。また、片手で操作できる及び容易に収納できるために、普通のテレビリモコンが細長い形であり、しかし、細長い範囲に40個から60個くらいのボタンを設置するために、ボタンのサイズを縮小してボタンとボタンとの距離を短縮することが必要になことで、誤動作することがよくある。
【０００４】
また、目が悪い高齢者及び視覚障害者は操作する場合に、さらに誤動作することがあり、そして機能が多すぎて、順調に元の視聴モードに切換えることができず、一旦電源を切って再起動しなければならなく、視聴体験が悪くなる。そして、使用者はリモコンのボタンを切換える場合に、よく両手で作業することがあるので、作業を中断して操作することができず、従って他の部位、例えば手の甲、手首、肘などでボタンを押すが、現在のテレビリモコンのボタンが小さくてボタンとボタンとの距離が短いので、正確に押すことが難しく、誤動作することになる。
【０００５】
そこで、上記の問題点に対して、現存する欠点を解決して改善するシンプル汎用リモコンを提供することが本考案の目的である。
【課題を解決するための手段】
【０００６】
本考案の目的は、旧式のリモコンの欠点を改善し、ユーザー体験を高め、製造コストを減少することができるシンプル汎用リモコンを提供することである。
【０００７】
前記問題点を解決でき、上記目的を達成するために、本考案のシンプル汎用リモコンは、リモコンと、再生/一時停止ボタンと、消音ボタンと、二つの音量調整ボタンと、二つのチャンネルボタンと、コントロールモジュールと、無線送信モジュールとを備えるシンプル汎用リモコンであり、当該リモコンが上ケース及び下ケースで構成され、当該上ケース及び当該下ケースが対称的な構造であり、当該上ケースは左下に突出する少なくとも一つの左ハンドル部と、右下に突出する少なくとも一つの右ハンドル部とを備え、当該下ケースは左下に突出する少なくとも一つの左ハンドル部と、右下に突出する少なくとも一つの右ハンドル部とを備え、当該再生/一時停止ボタンが、当該上ケース、当該下ケース、のうちのいずれか一つの中央部分の上側の一側に設けられ、当該消音ボタンが当該上ケース、当該下ケース、のうちのいずれか一つの中央部分の上側の他の一側に設けられ、二つの当該音量調整ボタンが当該上ケース、当該下ケース、のうちのいずれか一つの中央部分の一側及び他の一側に別々に設けられ、二つの当該チャンネルボタンが当該上ケース、当該下ケース、のうちのいずれか一つにある左ハンドル部の一端、中心部分、のうちのいずれか一つ、及び当該上ケース、当該下ケース、のうちのいずれか一つにある右ハンドル部の一端、中心部分、のうちのいずれか一つに別々に設けられ、当該コントロールモジュールが当該上ケース及び当該下ケースで形成される収容空間内に設けられ、且つ当該再生/一時停止ボタン、当該消音ボタン、二つの当該音量調整ボタン及び二つの当該チャンネルボタンと別々に電気的に連接され、当該再生/一時停止ボタン、当該消音ボタン、二つの当該音量調整ボタン及び二つの当該チャンネルボタンからの操作信号を受信して別々に対応するコントロール信号を送信する機能を備え、当該無線送信モジュールが当該コントロールモジュールと電気的に連接され、セットトップボックスの再生/一時停止の切換え、消音の切換え、音量調整、チャンネルの切換え、のうちのいずれか一つの当該コントロールモジュールによって送信されるコントロール信号を送信するために使われ、そして、当該再生/一時停止ボタン、当該消音ボタン、二つの当該音量調整ボタン及び二つの当該チャンネルボタンのシルエットが、円形、三角形、四角形、矩形、菱形、のうちのいずれか一つの形である。
【０００８】
前記再生/一時停止ボタン、前記消音ボタン、二つの前記音量調整ボタン及び二つの前記チャンネルボタンが前記上ケースの表面に設けられることが好ましい。
【０００９】
前記再生/一時停止ボタン、前記消音ボタン、二つの前記音量調整ボタン及び二つの前記チャンネルボタン、のうちの任意の二つが等間隔で設けられることが好ましい。
【００１０】
前記再生/一時停止ボタン、前記消音ボタン、二つの前記音量調整ボタン、二つの前記チャンネルボタン、のうちのいずれか少なくとも一つが前記下ケースの表面に設けられることができることが好ましい。
【００１１】
前記再生/一時停止ボタン、前記消音ボタン、二つの前記音量調整ボタン及び二つの前記チャンネルボタン、のうちの任意の二つの外見の色が、同じの色、異なる色、同じの色名、異なる色名、のうちのいずれか一つであることが好ましい。
【００１２】
前記再生/一時停止ボタン、前記消音ボタン、二つの前記音量調整ボタン及び二つの前記チャンネルボタン、のうちの任意の二つの大きさが、同じの大きさ、異なる大きさ、のうちのいずれか一つであることが好ましい。
【００１３】
前記上ケース、前記下ケース、のうちのいずれか一つにセットトップボックス電源ボタンが設けられることが好ましい。
【００１４】
前記セットトップボックス電源ボタンのシルエットが、円形、四角形、矩形、菱形、三角形、のうちのいずれか一つの形であることが好ましい。
【００１５】
前記上ケース、前記下ケース、のうちのいずれか一つに指示ランプが設けられ、当該指示ランプはコントロール信号によって少なくとも一つの色を表示する機能を備えることが好ましい。
【００１６】
前記上ケース、前記下ケース、のうちのいずれか一つに設定ボタンが設けられることが好ましい。
【００１７】
本考案は、従来の技術と比べて、次に列挙する効果がある。
【００１８】
1.本考案のケースは左ハンドル部及び右ハンドル部を備えることで、使用者は片手でも両手でも操作でき、且つケースの体積が全体的に増大するので、操作する場合に安定性が高まり、ボタンを押す場合にも翻転されないようになる。
【００１９】
2.そして、ケースの面積が増加することで、各ボタンの体積が大きくなることができ、従って、容易に押すようになり、また、ボタンとボタンとの距離が長くなることで、操作する場合に他のボタンを押して誤作動することが減少でき、さらに指以外の部位でボタンを操作することが容易になり、例えば手の甲、手首、肘などの部位で操作することができ、利便性が高まる。
【００２０】
3.また、各ボタンと一番近いボタンとの距離が全部同じであるので、操作する場合に直接的に見なくても手で触ってボタンの配置を大体わかるようになり、さらに目で見なくても操作することができる。
【図面の簡単な説明】
【００２１】
【図１】：本考案の外観を示す図
【図２】：本考案の内部構造を示す図
【図３】：本考案の他の外観を示す図
【考案を実施するための形態】
【００２２】
以下、本考案の実施の形態について、図面を参照して詳細に説明する。
【００２３】
図1及び図2に示すように、本考案のシンプル汎用リモコンは、リモコン10と、ケース100と、操作部110と、コントロールモジュール120と、無線送信モジュール130とを備え、当該操作部110に当該ケース100が設けられ、且つ再生/一時停止ボタン111、消音ボタン113、二つの音量調整ボタン114及び二つのチャンネルボタン115を備え、当該コントロールモジュール120が当該ケース100の内部に設けられて、且つ当該操作部110からの操作信号を受信してコントロール信号を送信するために当該操作部110と電気的に連接され、当該無線送信モジュール130が当該コントロールモジュール120と電気的に連接され、当該無線送信モジュール130は、テレビの電源の操作、消音モード切換え、音量調整及びチャンネル切換えの操作のためのコントロール信号を送信するようになる。また、当該リモコン10が上ケース10U及び下ケース10Dで構成され、当該上ケース10U及び当該下ケース10Dが対称的な構造であり、当該上ケース10Uは左下に突出する少なくとも一つの左ハンドル部10ULと、右下に突出する少なくとも一つの右ハンドル部10URとを備え、当該下ケース10Dは左下に突出する少なくとも一つの左ハンドル部10DLと、右下に突出する少なくとも一つの右ハンドル部10DRとを備える。
【００２４】
また、当該ケース100の表面にある当該操作部110が、第一セットP1、第二セッP2及び第三セットP3に分かれ、当該第一セットP1にある当該再生/一時停止ボタン111及び当該消音ボタン113が当該ケース100の上側に設けられ、当該第二セットP2当該音量調整ボタン114が当該ケース100の中央部分に設けられ、当該第三セットP3当該チャンネルボタン115が当該ケース100の下側に設けられる。
【００２５】
その中に、当該上ケース10U、当該下ケース10D、のうちのいずれか一つに指示ランプ140が設けられ、当該指示ランプ140は各コントロール信号は有効かどうかを確認するための少なくとも一つの色を表示する機能を備える。例えば、電源オンオフの機能を操作する場合に、赤色の信号を表示したり、セットトップボックスを操作する場合に、黄色の信号を表示したりして、異なる信号でリモコンのコントロール信号が送信されるかどうかと確認できる。
【００２６】
図3に示すように、当該第一セットP1にセットトップボックス電源ボタン112が増設されることで、当該再生/一時停止ボタン111、当該セットトップボックス電源ボタン112及び当該消音ボタン113が含まれる。
【００２７】
その中に、当該第一セットP1のボタンの色が当該第二セットP2のボタン及び当該第三セットP3のボタンの色と異なり、当該第二セットP2のボタンの色が当該第三セットP3のボタンの色と異なる。
【００２８】
その中に、当該再生/一時停止ボタン111、当該セットトップボックス電源ボタン112、当該消音ボタン113、当該音量調整ボタン114及び当該チャンネルボタン115、のうちの各ボタンと一番近いボタンとの距離が全部同じである。
【００２９】
本考案の当該ケース100は、当該左ハンドル部10UL.10DL及び当該右ハンドル部10UR.10DRを備えることで、使用者は片手でも両手でも操作でき、且つ当該ケース100の体積が全体的に増大するので、操作する場合に安定性が高まり、ボタンを押す場合にも翻転されないようになる。
【００３０】
そして、当該ケース100の面積が増加することで、各ボタンの体積が大きくなることができ、従って、容易に押すようになり、また、ボタンとボタンとの距離が長くなることで、操作する場合に他のボタンを押して誤作動することが減少でき、さらに指以外の部位でボタンを操作することが容易になり、例えば手の甲、手首、肘などの部位で操作することができ、利便性が高まる。
【００３１】
また、各ボタンと一番近いボタンとの距離が全部同じであるので、操作する場合に直接的に見なくても手で触ってボタンの配置を大体わかるようになり、さらに目でボタンを見なくても操作することができる。
【００３２】
なお、当該再生/一時停止ボタン111、当該セットトップボックス電源ボタン112、当該消音ボタン113、当該音量調整ボタン114及び当該チャンネルボタン115のシルエットが、円形、三角形、四角形、矩形、菱形、のうちのいずれか一つの形である。
【００３３】
その中に、ボタンの形が図形或は図像であることで、使用者は容易に判別して記憶するようになり、且つ異なる色の配置によって、より楽しくて効率的に操作することができる。
【００３４】
そして、当該無線送信モジュール130によって送信されたコントロール信号が赤外線、Bluetooth（登録商標）、Bluetooh Low Energy、Zigbee、NFC及びWi-Fiで伝送される信号であるので、適用範囲が広い。
【００３５】
また、本考案について、当該上ケース10U、当該下ケース10D、のうちのいずれか一つにさらに機能ボタン(掲示されない)が増設され、該機能ボタンは学習機能を備えるボタンであり、テレビ、セットトップボックス、DVDブレーヤー、プロジェクタ及び他の電器の遠隔操作機能を記憶することができる。
【００３６】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３７】
１０  リモコン
１０Ｕ  上ケース
１０Ｄ  下ケース
１０ＵＬ  左ハンドル部
１０ＵＲ  右ハンドル部
１０ＤＬ  左ハンドル部
１０ＤＲ  右ハンドル部
１１０  操作部
１１１  再生/一時停止ボタン
１１２  セットトップボックス電源ボタン
１１３  消音ボタン
１１４  音量調整ボタン
１１５  チャンネルボタン
１２０  コントロールモジュール
１３０  無線送信モジュール
１４０  指示ランプ
Ｐ１  第一セット
Ｐ２  第二セット
Ｐ３  第三セット
【図１】
0003223606.tif 000003
【図２】
0003223606.tif 000004
【図３】
0003223606.tif 000005